(57)【特許請求の範囲】
【請求項１】
画像形成装置において、
載置された原稿の画像形成処理に関する原稿情報を検知する検知手段と、
複数の設定項目を有する通常画面と、前記設定項目の一部を有する簡単画面とを切替えて表示操作部に表示し、前記簡単画面を表示中に１つの前記設定項目が選択された場合に、選択された前記設定項目に対して、利用者によって選択設定を行わせる項目である手動設定項目を複数含み、且つ、選択された前記設定項目に対して、前記検知手段によって検知された前記原稿情報に基づいて前記画像形成装置が自動で選択設定を行う項目である自動設定項目を含まない１つの設定画面を前記表示操作部に表示し、表示した前記設定画面の前記手動設定項目に対する利用者からの選択設定の入力を受け付ける表示制御手段と、
前記表示制御手段が受け付けた前記設定画面の手動設定項目に対する選択設定の入力、および前記検知手段によって検知した前記原稿情報に基づいて画像形成処理を行う簡単画面モードに従って画像形成処理を行う制御手段と、
前記制御手段による前記簡単画面モードに基づく画像形成処理の動作中に、該画像形成処理の動作が継続可能か否かを判断する判断手段と、を備え、
前記表示制御手段は、更に、前記判断手段によって前記簡単画面モードでの画像形成処理の動作が継続可能でないと判断された場合、前記自動設定項目を前記手動設定項目として前記表示操作部に表示し、表示した前記手動設定項目に対する利用者からの選択設定の入力を受け付け、
前記制御手段は、更に、利用者から受け付けた前記選択設定の入力に基づいて画像形成処理を行うことを特徴とする画像形成装置。
【請求項２】
前記通常画面は、前記画像形成装置において使用可能なすべての設定項目を有しており、
前記簡単画面は、前記すべての設定項目における一部の設定項目のみ有していることを特徴とする請求項１に記載の画像形成装置。
【請求項３】
載置された原稿の画像を読み取る画像読取手段をさらに備え、
前記検知手段は、前記画像読取手段よって読み取る原稿の原稿サイズを検知し、
前記自動設定項目は、前記検知手段によって検知された前記原稿サイズに基づいて前記画像形成装置が自動で原稿サイズの選択設定を行うものを含み、
前記制御手段は、前記表示制御手段が受け付けた前記設定画面の手動設定項目に対する選択設定の入力、および前記検知手段によって検知した前記原稿サイズに基づいて画像形成処理を行う簡単画面モードに従って画像形成処理を行い、
前記判断手段は、前記制御手段による前記簡単画面モードに基づく画像形成処理の動作中に、前記検知手段によって前記原稿サイズが検知できたか否かにより、該画像形成処理の動作が継続可能か否かを判断し、
前記表示制御手段は、更に、前記判断手段によって前記検知手段による前記原稿サイズの検知ができなかったことにより、前記簡単画面モードでの画像形成処理の動作が継続可能でないと判断された場合、前記自動設定項目の前記原稿サイズを前記手動設定項目として前記表示操作部に表示し、表示した前記手動設定項目に対する利用者からの前記原稿サイズの選択設定の入力を受け付け、
前記制御手段は、更に、利用者から受け付けた前記原稿サイズの選択設定の入力に基づいて画像形成処理を行うことを特徴とする請求項１または２に記載の画像形成装置。
【請求項４】
画像形成装置で実行される画像形成方法において、
載置された原稿の画像形成処理に関する原稿情報を検知する検知ステップと、
複数の設定項目を有する通常画面と、前記設定項目の一部を有する簡単画面とを切替えて表示操作部に表示し、前記簡単画面を表示中に１つの前記設定項目が選択された場合に、選択された前記設定項目に対して、利用者によって選択設定を行わせる項目である手動設定項目を複数含み、且つ、選択された前記設定項目に対して、前記検知手段によって検知された前記原稿情報に基づいて前記画像形成装置が自動で選択設定を行う項目である自動設定項目を含まない１つの設定画面を前記表示操作部に表示し、表示した前記設定画面の前記手動設定項目に対する利用者からの選択設定の入力を受け付ける表示制御ステップと、
前記表示制御ステップによって受け付けた前記設定画面の手動設定項目に対する選択設定の入力、および前記検知手段によって検知した前記原稿情報に基づいて画像形成処理を行う簡単画面モードに従って画像形成処理を行う制御ステップと、
前記制御ステップによる前記簡単画面モードに基づく画像形成処理の動作中に、該画像形成処理の動作が継続可能か否かを判断する判断ステップと、を含み、
前記表示制御ステップは、更に、前記判断ステップによって前記簡単画面モードでの画像形成処理の動作が継続可能でないと判断された場合、前記自動設定項目を前記手動設定項目として前記表示操作部に表示し、表示した前記手動設定項目に対する利用者からの選択設定の入力を受け付け、
前記制御ステップは、更に、利用者から受け付けた前記選択設定の入力に基づいて画像形成処理を行うことを特徴とする画像形成方法。
【請求項５】
前記通常画面は、前記画像形成装置において使用可能なすべての設定項目を有しており、
前記簡単画面は、前記すべての設定項目における一部の設定項目のみ有していることを特徴とする請求項４に記載の画像形成方法。
【請求項６】
載置された原稿の画像を読み取る画像読取ステップをさらに含み、
前記検知ステップは、前記画像読取ステップよって読み取る原稿の原稿サイズを検知し、
前記自動設定項目は、前記検知ステップによって検知された前記原稿サイズに基づいて前記画像形成装置が自動で原稿サイズの選択設定を行うものを含み、
前記制御ステップは、前記表示制御ステップによって受け付けた前記設定画面の手動設定項目に対する選択設定の入力、および前記検知ステップによって検知した前記原稿サイズに基づいて画像形成処理を行う簡単画面モードに従って画像形成処理を行い、
前記判断ステップは、前記制御ステップによる前記簡単画面モードに基づく画像形成処理の動作中に、前記検知ステップによって前記原稿サイズが検知できたか否かにより、該画像形成処理の動作が継続可能か否かを判断し、
前記表示制御ステップは、更に、前記判断ステップによって前記検知ステップによる前記原稿サイズの検知ができなかったことにより、前記簡単画面モードでの画像形成処理の動作が継続可能でないと判断された場合、前記自動設定項目の前記原稿サイズを前記手動設定項目として前記表示操作部に表示し、表示した前記手動設定項目に対する利用者からの前記原稿サイズの選択設定の入力を受け付け、
前記制御ステップは、更に、利用者から受け付けた前記原稿サイズの選択設定の入力に基づいて画像形成処理を行うことを特徴とする請求項４または５に記載の画像形成方法。
【請求項７】
複数の設定項目を有する通常画面と、前記設定項目の一部を有する簡単画面とを切替えて表示操作部に表示し、前記簡単画面を表示中に１つの前記設定項目が選択された場合に、選択された前記設定項目に対して、利用者によって選択設定を行わせる項目である手動設定項目を複数含み、且つ、選択された前記設定項目に対して、載置された原稿の画像形成装置に関する原稿情報に基づいて前記画像形成装置が自動で選択設定を行う項目である自動設定項目を含まない１つの設定画面を前記表示操作部に表示し、表示した前記設定画面の前記手動設定項目に対する利用者からの選択設定の入力を受け付ける表示制御ステップと、
前記表示制御ステップによって受け付けた前記設定画面の手動設定項目に対する選択設定の入力、および前記原稿情報に基づいて画像形成処理を行う簡単画面モードに従って画像形成処理を行う制御ステップと、
前記制御ステップによる前記簡単画面モードに基づく画像形成処理の動作中に、該画像形成処理の動作が継続可能か否かを判断する判断ステップと、をコンピュータに実行させ、
前記表示制御ステップは、更に、前記判断ステップによって前記簡単画面モードでの画像形成処理の動作が継続可能でないと判断された場合、前記自動設定項目を前記手動設定項目として前記表示操作部に表示し、表示した前記手動設定項目に対する利用者からの選択設定の入力を受け付け、
前記制御ステップは、更に、利用者から受け付けた前記選択設定の入力に基づいて画像形成処理を行うことを特徴とする画像形成プログラム。
【発明の詳細な説明】
【技術分野】
【０００１】
本発明は、原稿を読み取って、出力する画像形成装置、画像形成方法、および画像形成プログラムに関するものであり、特に、原稿に基づいて自動で画像形成処理の設定を行う画像形成装置、画像形成方法、および画像形成プログラムに関する。
【背景技術】
【０００２】
従来から、画像形成処理の設定を行う操作画面に関して、複数の操作画面を切り替え可能な画像形成装置が知られている。また、原稿画像をスキャニングして印刷を行ったり、電子化データとしてネットワークにて送信することができる画像形成装置においても、複数の操作画面を有し、各種条件で切り替え可能にした装置が知られている。
【０００３】
このように操作画面の切り替えが可能になったのは、近年、多機能化が進んだ画像形成装置の操作が複雑化し、画像形成装置を使用することが困難と感じる利用者が存在するためである。例えば、画像形成装置の応用動作の設定に必要な各種の操作部を表示するよう作成された通常画面と、画像形成装置の基本動作の設定に必要な操作部のみを限定して簡易に表示するよう作成された簡単画面とを有し、これらの画面を切り替え可能にした画像形成装置がある（例えば、特許文献１）。
【０００４】
【特許文献１】特開平９−３０５０６３号公報
【発明の開示】
【発明が解決しようとする課題】
【０００５】
しかし、上記従来技術では、通常画面で、画像形成装置が設定を行う自動動作と、利用者が設定を行う手動設定の双方が可能である設定項目が、簡単画面では、自動動作のみで行われる場合があり、このような場合、簡単画面での自動動作中に、その動作が不能の状態に陥った場合の処理については何ら考慮されておらず、動作が中断され、画像形成処理の動作を継続できない場合があった。
【０００６】
本発明は、上記に鑑みてなされたものであって、自動設定における画像形成処理の動作が不能になった場合にも、動作を継続できる画像形成装置、画像形成方法、および画像形成プログラムを得ることを目的とする。
【課題を解決するための手段】
【０００７】
上述した課題を解決し、目的を達成するために、請求項１にかかる発明は、画像形成装置において、載置された原稿の画像形成処理に関する原稿情報を検知する検知手段と、複数の設定項目を有する通常画面と、前記設定項目の一部を有する簡単画面とを切替えて表示操作部に表示し、前記簡単画面を表示中に１つの前記設定項目が選択された場合に、選択された前記設定項目に対して、利用者によって選択設定を行わせる項目である手動設定項目を複数含み、且つ、選択された前記設定項目に対して、前記検知手段によって検知された前記原稿情報に基づいて前記画像形成装置が自動で選択設定を行う項目である自動設定項目を含まない１つの設定画面を前記表示操作部に表示し、表示した前記設定画面の前記手動設定項目に対する利用者からの選択設定の入力を受け付ける表示制御手段と、前記表示制御手段が受け付けた前記設定画面の手動設定項目に対する選択設定の入力、および前記検知手段によって検知した前記原稿情報に基づいて画像形成処理を行う簡単画面モードに従って画像形成処理を行う制御手段と、前記制御手段による前記簡単画面モードに基づく画像形成処理の動作中に、該画像形成処理の動作が継続可能か否かを判断する判断手段と、を備え、前記表示制御手段は、更に、前記判断手段によって前記簡単画面モードでの画像形成処理の動作が継続可能でないと判断された場合、前記自動設定項目を前記手動設定項目として前記表示操作部に表示し、表示した前記手動設定項目に対する利用者からの選択設定の入力を受け付け、前記制御手段は、更に、利用者から受け付けた前記選択設定の入力に基づいて画像形成処理を行うことを特徴とする。
【０００８】
また、請求項２にかかる発明は、請求項１に記載の画像形成装置において、前記通常画面は、前記画像形成装置において使用可能なすべての設定項目を有しており、前記簡単画面は、前記すべての設定項目における一部の設定項目のみ有していることを特徴とする。
【０００９】
また、請求項３にかかる発明は、請求項１または２に記載の画像形成装置において、載置された原稿の画像を読み取る画像読取手段をさらに備え、前記検知手段は、前記画像読取手段よって読み取る原稿の原稿サイズを検知し、前記自動設定項目は、前記検知手段によって検知された前記原稿サイズに基づいて前記画像形成装置が自動で原稿サイズの選択設定を行うものを含み、前記制御手段は、前記表示制御手段が受け付けた前記設定画面の手動設定項目に対する選択設定の入力、および前記検知手段によって検知した前記原稿サイズに基づいて画像形成処理を行う簡単画面モードに従って画像形成処理を行い、前記判断手段は、前記制御手段による前記簡単画面モードに基づく画像形成処理の動作中に、前記検知手段によって前記原稿サイズが検知できたか否かにより、該画像形成処理の動作が継続可能か否かを判断し、前記表示制御手段は、更に、前記判断手段によって前記検知手段による前記原稿サイズの検知ができなかったことにより、前記簡単画面モードでの画像形成処理の動作が継続可能でないと判断された場合、前記自動設定項目の前記原稿サイズを前記手動設定項目として前記表示操作部に表示し、表示した前記手動設定項目に対する利用者からの前記原稿サイズの選択設定の入力を受け付け、前記制御手段は、更に、利用者から受け付けた前記原稿サイズの選択設定の入力に基づいて画像形成処理を行うことを特徴とする。
【００１０】
また、請求項４にかかる発明は、画像形成装置で実行される画像形成方法において、  載置された原稿の画像形成処理に関する原稿情報を検知する検知ステップと、複数の設定項目を有する通常画面と、前記設定項目の一部を有する簡単画面とを切替えて表示操作部に表示し、前記簡単画面を表示中に１つの前記設定項目が選択された場合に、選択された前記設定項目に対して、利用者によって選択設定を行わせる項目である手動設定項目を複数含み、且つ、選択された前記設定項目に対して、前記検知手段によって検知された前記原稿情報に基づいて前記画像形成装置が自動で選択設定を行う項目である自動設定項目を含まない１つの設定画面を前記表示操作部に表示し、表示した前記設定画面の前記手動設定項目に対する利用者からの選択設定の入力を受け付ける表示制御ステップと、前記表示制御ステップによって受け付けた前記設定画面の手動設定項目に対する選択設定の入力、および前記検知手段によって検知した前記原稿情報に基づいて画像形成処理を行う簡単画面モードに従って画像形成処理を行う制御ステップと、前記制御ステップによる前記簡単画面モードに基づく画像形成処理の動作中に、該画像形成処理の動作が継続可能か否かを判断する判断ステップと、を含み、前記表示制御ステップは、更に、前記判断ステップによって前記簡単画面モードでの画像形成処理の動作が継続可能でないと判断された場合、前記自動設定項目を前記手動設定項目として前記表示操作部に表示し、表示した前記手動設定項目に対する利用者からの選択設定の入力を受け付け、前記制御ステップは、更に、利用者から受け付けた前記選択設定の入力に基づいて画像形成処理を行うことを特徴とする。
【００１１】
また、請求項５にかかる発明は、請求項４に記載の画像形成方法において、前記通常画面は、前記画像形成装置において使用可能なすべての設定項目を有しており、前記簡単画面は、前記すべての設定項目における一部の設定項目のみ有していることを特徴とする。
【００１２】
また、請求項６にかかる発明は、請求項４または５に記載の画像形成方法において、載置された原稿の画像を読み取る画像読取ステップをさらに含み、前記検知ステップは、前記画像読取ステップよって読み取る原稿の原稿サイズを検知し、前記自動設定項目は、前記検知ステップによって検知された前記原稿サイズに基づいて前記画像形成装置が自動で原稿サイズの選択設定を行うものを含み、前記制御ステップは、前記表示制御ステップによって受け付けた前記設定画面の手動設定項目に対する選択設定の入力、および前記検知ステップによって検知した前記原稿サイズに基づいて画像形成処理を行う簡単画面モードに従って画像形成処理を行い、前記判断ステップは、前記制御ステップによる前記簡単画面モードに基づく画像形成処理の動作中に、前記検知ステップによって前記原稿サイズが検知できたか否かにより、該画像形成処理の動作が継続可能か否かを判断し、前記表示制御ステップは、更に、前記判断ステップによって前記検知ステップによる前記原稿サイズの検知ができなかったことにより、前記簡単画面モードでの画像形成処理の動作が継続可能でないと判断された場合、前記自動設定項目の前記原稿サイズを前記手動設定項目として前記表示操作部に表示し、表示した前記手動設定項目に対する利用者からの前記原稿サイズの選択設定の入力を受け付け、前記制御ステップは、更に、利用者から受け付けた前記原稿サイズの選択設定の入力に基づいて画像形成処理を行うことを特徴とする。
【００１３】
また、請求項７にかかる発明は、複数の設定項目を有する通常画面と、前記設定項目の一部を有する簡単画面とを切替えて表示操作部に表示し、前記簡単画面を表示中に１つの前記設定項目が選択された場合に、選択された前記設定項目に対して、利用者によって選択設定を行わせる項目である手動設定項目を複数含み、且つ、選択された前記設定項目に対して、載置された原稿の画像形成装置に関する原稿情報に基づいて前記画像形成装置が自動で選択設定を行う項目である自動設定項目を含まない１つの設定画面を前記表示操作部に表示し、表示した前記設定画面の前記手動設定項目に対する利用者からの選択設定の入力を受け付ける表示制御ステップと、前記表示制御ステップによって受け付けた前記設定画面の手動設定項目に対する選択設定の入力、および前記原稿情報に基づいて画像形成処理を行う簡単画面モードに従って画像形成処理を行う制御ステップと、前記制御ステップによる前記簡単画面モードに基づく画像形成処理の動作中に、該画像形成処理の動作が継続可能か否かを判断する判断ステップと、をコンピュータに実行させ、前記表示制御ステップは、更に、前記判断ステップによって前記簡単画面モードでの画像形成処理の動作が継続可能でないと判断された場合、前記自動設定項目を前記手動設定項目として前記表示操作部に表示し、表示した前記手動設定項目に対する利用者からの選択設定の入力を受け付け、前記制御ステップは、更に、利用者から受け付けた前記選択設定の入力に基づいて画像形成処理を行うことを特徴とする画像形成プログラムである。
【発明の効果】
【００１４】
請求項１にかかる発明によれば、表示制御手段によって、判断手段により簡単画面モードでの画像形成処理の動作が継続可能でないと判断された場合、設定画面で表示されなかった自動設定項目を手動設定項目として表示操作部に表示し、表示した手動設定項目に対する利用者からの選択設定の入力を受け付け、制御手段によって、利用者から受け付けた選択設定の入力に基づいて画像形成処理を行う。従って、自動設定項目に対して画像形成装置が自動で選択設定を行うことができずに簡単画面モードに基づく画像形成処理動作が不能になった場合でも、手動で項目設定をすることにより、中断された画像形成動作や処理を、最初からやり直すことが不要となり、画像形成動作を継続することができる。このため、画像形成処理の時間を短縮できるという効果を奏する。
【００１５】
また、請求項２にかかる発明によれば、通常画面は、画像形成装置において使用可能なすべての設定項目を有し、簡単画面は、すべての設定項目における一部の設定項目のみ有している。従って、装置の操作に対して不慣れな利用者が操作の行い易い簡単画面を操作している場合に、簡単画面モードに基づく画像形成処理動作が不能になった場合でも、手動で項目設定をすることにより、中断された画像形成動作や処理を、最初からやり直すことが不要となり、画像形成動作を継続することができる。このため、操作の簡易化を維持しつつ、画像形成処理の時間を短縮できるという効果を奏する。
【００１６】
また、請求項３にかかる発明によれば、表示制御手段によって、判断手段により原稿サイズが検知できなかったことにより、簡単画面モードでの画像形成処理の動作が継続可能でないと判断された場合、自動設定項目の原稿サイズを手動設定項目として表示操作部に表示し、表示した手動設定項目に対する利用者からの原稿サイズの選択設定の入力を受け付け、制御手段によって、利用者から受け付けた原稿サイズの選択設定の入力に基づいて画像形成処理を行う。従って、簡単画面モードにおいて、自動で行われる原稿サイズの検知が不能になった場合でも、手動で原稿サイズを設定することにより、中断された画像形成動作や処理を、最初からやり直すことが不要となり、画像形成動作を継続することができる。このため、画像形成処理の時間を短縮できるという効果を奏する。
【００１７】
また、請求項４にかかる発明によれば、表示制御ステップによって、判断ステップにより簡単画面モードでの画像形成処理の動作が継続可能でないと判断された場合、設定画面で表示されなかった自動設定項目を手動設定項目として表示操作部に表示し、表示した手動設定項目に対する利用者からの選択設定の入力を受け付け、制御ステップによって、利用者から受け付けた選択設定の入力に基づいて画像形成処理を行う。従って、自動設定項目に対して画像形成装置が自動で選択設定を行うことができずに簡単画面モードに基づく画像形成処理動作が不能になった場合でも、手動で項目設定をすることにより、中断された画像形成動作や処理を、最初からやり直すことが不要となり、画像形成動作を継続することができる。このため、画像形成処理の時間を短縮できるという効果を奏する。
【００１８】
また、請求項５にかかる発明によれば、通常画面は、画像形成装置において使用可能なすべての設定項目を有し、簡単画面は、すべての設定項目における一部の設定項目のみ有している。従って、装置の操作に対して不慣れな利用者が操作の行い易い簡単画面を操作している場合に、簡単画面モードに基づく画像形成処理動作が不能になった場合でも、手動で項目設定をすることにより、中断された画像形成動作や処理を、最初からやり直すことが不要となり、画像形成動作を継続することができる。このため、操作の簡易化を維持しつつ、画像形成処理の時間を短縮できるという効果を奏する。
【００１９】
また、請求項６にかかる発明によれば、表示制御ステップによって、判断ステップにより原稿サイズが検知できなかったことにより、簡単画面モードでの画像形成処理の動作が継続可能でないと判断された場合、自動設定項目の原稿サイズを手動設定項目として表示操作部に表示し、表示した手動設定項目に対する利用者からの原稿サイズの選択設定の入力を受け付け、制御ステップによって、利用者から受け付けた原稿サイズの選択設定の入力に基づいて画像形成処理を行う。従って、簡単画面モードにおいて、自動で行われる原稿サイズの検知が不能になった場合でも、手動で原稿サイズを設定することにより、中断された画像形成動作や処理を、最初からやり直すことが不要となり、画像形成動作を継続することができる。このため、画像形成処理の時間を短縮できるという効果を奏する。
【００２０】
また、請求項７にかかる発明によれば、コンピュータが、表示制御ステップによって、判断ステップにより原稿サイズが検知できなかったことにより、簡単画面モードでの画像形成処理の動作が継続可能でないと判断された場合、自動設定項目の原稿サイズを手動設定項目として表示操作部に表示し、表示した手動設定項目に対する利用者からの選択設定の入力を受け付け、制御ステップによって、利用者から受け付けた選択設定の入力に基づいて画像形成処理を行う。従って、自動設定項目に対して画像形成装置が自動で選択設定を行うことができずに簡単画面モードに基づく画像形成処理動作が不能になった場合でも、手動で項目設定をすることにより、中断された画像形成動作や処理を、最初からやり直すことが不要となり、画像形成動作を継続することができる。このため、画像形成処理の時間を短縮できるという効果を奏する。
【発明を実施するための最良の形態】
【００２１】
以下に添付図面を参照して、この発明にかかる画像形成装置、画像形成方法、および画像形成プログラムの最良な実施の形態を詳細に説明する。以下の実施の形態では、本発明の画像形成装置を複合機に適用した例を示す。但し、複合機に限られず、複写機、インクジェットプリンタ、ファクシミリ等の操作画面を利用した画像形成処理を行うものであれば、本発明を適用することができる。
【００２２】
図１は、本実施の形態にかかる複合機１００とその周辺機器を含めたシステム全体の構成を示すネットワーク構成図である。図１に示すように、複合機１００と、クライアントＰＣ（Personal Computer）と、通信サーバと、ＳＭＴＰ（Simple Mail Transfer Protocol）サーバと、ＦＴＰ（File Transfer Protocol）サーバとが、バス型のＬＡＮ（Local Area Network）であるイーサネット（Ｒ）を介して接続されている。
【００２３】
複合機１００は、スキャナ機能や、コピー、ファックス、プリンタなどの複数の機能を一つの筐体に収納したものであり、原稿ガラスや自動原稿給紙台を使用して、原稿や写真などの紙媒体の画像を、光学的にスキャニングして電子データ化することができる。また、複合機１００は、ネットワークに接続するためのシステム（例えば、ＩＰアドレスの割り当てや、ネットワーク・インターフェース・カードの装備等）を有し、利用者のＰＣから接続することで遠隔操作を行うことができる。また、複合機１００は、種々のネットワークプロトコルに従って、外部との画像データの送受信や、その他利用者情報などのデータの送受信を行い、内部にＨＤＤ（Hard Disk Drive）が設けられている。
【００２４】
クライアントＰＣは、利用者が使用する様々な手段で複合機１００から画像データ等を受信するＰＣである。また、クライアントＰＣは、ネットワークプロトコルの一つであるＳＭＢ（Server Message Block）に従って、ファイル共有が可能となり、複合機１００からの画像データを受信できる。
【００２５】
配信サーバは、スキャンした画像の配信機能を実現するための専用サーバである。すなわち、配信サーバのサーバＰＣにインストールされたサーバソフトウェアが、複合機１００の情報と利用者情報を管理し、また、その利用者情報に基づいて複合機１００から送信された画像データを利用者のメールアドレスへ送信したり、利用者用の専用フォルダへ格納する。また、配信サーバは、複合機１００からスキャン画像データを受信して、受信したスキャン画像データのファックスによる送信機能も有している。
【００２６】
ＳＭＴＰサーバは、ＳＭＴＰに従って、電子メールの受信を管理する機能を備えたサーバである。すなわち、ＳＭＴＰによって、複合機１００から利用者特有のメールアドレスの指定を受けて画像データを受信し、また、ＰＯＰ（Post Office Protocol）によって、利用者からの要求で受信している電子メールを利用側のクライアントＰＣに送信する。
【００２７】
ＦＴＰサーバは、ファイルを転送するプロトコルであるＦＴＰによって、ファイル管理をする機能を備えたサーバである。すなわち、ＦＴＰによって、複合機１００はＦＴＰサーバに画像データを格納することができる。また、ＦＴＰサーバは、利用者のクライアントＰＣからＦＴＰによって、その画像データを取得することができる。
【００２８】
なお、本実施の形態では、上述したプロトコルを使用しているが、これに限定されるものではなく、様々なネットワークプロトコルによって画像データ等が送受信可能なシステムである。
【００２９】
次に複合機１００について説明する。図２は、本実施の形態にかかる複合機１００の断面概略構成図である。図２に示すように、複合機１００は、スキャナ部１０と、プリント部４０と、給紙部５０と、排紙部６０と、とを主に備えている。
【００３０】
スキャナ部１０は、載置された原稿の画像を読み取るものであり、更に、自動原稿送り装置であるＡＤＦ（Automatic Document Feed）１１と、原稿台１２と、給送ローラ１３と、給送ベルト１４と、コンタクトガラス１６と、原稿セット検知センサ１７とを主に備えている。また、スキャナ部１０は、露光ランプ２１と、第１ミラー２２と、第２ミラー２３と、第３ミラー２４と、レンズ２５と、ＣＣＤイメージセンサ２６とからなる光学走査系を備えており、露光ランプ２１および第１ミラー２２は第１キャリッジ（図示せず）上に固定され、第２ミラー２３および第３ミラー２４は第２のキャリッジ（図示せず）上に固定されている。
【００３１】
また、コンタクトガラス１６の下には、数個の反射式の原稿サイズセンサ（図示せず）が設置されており、各センサの出力の組み合わせによりコンタクトガラス上に載置された原稿の原稿サイズを検知できるようになっている。さらに、スキャナ部１０は、レーザ出力ユニット３１と、結像レンズ３２と、反射ミラー３３とを備えており、レーザ出力ユニット３１の内部には、レーザ光源であるレーザダイオードおよびモータによって、高速で定速回転するポリゴンミラーが設置されている。
【００３２】
また、複合機１００は、ＣＣＤイメージセンサ２６で変換された画像データを記憶する記憶装置を備え、画像データは、一旦、この記憶装置に記憶され、そこから読み出されてレーザダイオードの出射光を変調する。変調されたレーザ光は、定速回転するポリゴンミラーによって偏向、走査され、結像レンズ３２を通って反射ミラー３３で折り返され、プリント部４０の感光体ドラム４１に集光する。
【００３３】
プリント部４０は、感光体ドラム４１と、現像ユニット４２と、転写ユニット４３と、定着ユニット４４と、排紙ユニット４５とを主に備えている。感光体ドラム４１は、帯電チャージャ（図示せず）により表面が高電位に帯電し、レーザ光は、ポリゴンミラーによって感光体ドラム４１が回転する方向と直交する主走査方向に偏向、走査され、感光体ドラム４１の回転速度と記録密度に対応した所定の周期で主走査を繰り返すと、表面電位は照射された光の強度に応じて変化し、感光体ドラム４１上に原稿の濃淡分布に対応する静電潜像が形成される。静電潜像は、現像ユニット４２のトナーにより現像され、転写ユニット４３で、給紙部５０から搬送されてきた転写紙に転写される。
【００３４】
給紙部５０は、第１トレイ５１と、第２トレイ５２と、第３トレイ５３と、第１給紙装置５４と、第２給紙装置５５と、第３給紙装置５６と、縦搬送ユニット５７とを主に備えている。利用者により所定サイズの転写紙が指定されると、指定サイズの転写紙のトレイが選択され、そこから指定サイズの転写紙が当該給紙装置、縦搬送ユニット５７を経て転写ユニット４３へと搬送される。転写ユニット４３でトナー像が転写された転写紙は、定着ユニット４４に搬送される。定着ユニット４４は、加熱ローラと加圧ローラ（図示せず）を有し、加熱ローラはヒーター（図示せず）により予め加熱されている。トナー像が転写された転写紙は、これらローラ間に挟まれて通過する間にトナーが熱融着し、転写紙に定着する。トナー像が定着した転写紙は、排紙ユニット４５により排紙部６０に排紙される。
【００３５】
排紙部６０は、搬送された転写紙を排紙する排紙トレイ６１と、ステープル台６２と、紙揃え用のジョガー６８と、ステープラ６９と、ステープル完了排紙トレイとを主に備えている。排紙ユニット４５によって搬送された転写紙は、切り替え板６３を下に切り替えることにより、搬送ローラ６４及び６５を経由して排紙トレイ６１側に排紙し、切り替え板６３を上に切り替えることで、搬送ローラ６６を経由してステープル台６２に排紙する。ステープル台６２に排紙、積載された転写紙は、一枚排紙されるごとに紙揃え用のジョガー６７によって、紙端面が揃えられ、１部のコピー完了と共にステープラ６８によって綴じられる。ステープラ６８で綴じられた転写紙群は、自重によってステープル完了排紙トレイ６９に収納される。排紙トレイ６１は、転写紙搬送方向に対し直角に移動可能な構成を有し、このため、転写紙搬送方向に対し直角に移動し、排出されてくるコピー紙を簡単に仕分けることができる。
【００３６】
転写紙の両面に画像を作像する場合は、各給紙トレイ５１〜５３から給紙され画像形成された転写紙を排紙トレイ６１側に導かないで、経路切り替えのための分岐爪７１を上側にセットすることで、スイッチバック反転し、一旦両面給紙ユニット７２にストックする。その後、両面給紙ユニット７２にストックされた転写紙を、再びプリント部４０に再給紙し、静電潜像の生成、現像、転写、定着を行って、経路切り替えの為の分岐爪７１を今度は下側にセットし、排紙トレイ６１に導く。
【００３７】
図３−１は、本実施の形態にかかる複合機１００の機械的構成を示すブロック図である。図３−１に示すように、メインコントローラ８０は、液晶型の表示操作部７０と、ＡＤＦ１１と、画像データを画像メモリ８７（図４参照）に書き込む制御および画像メモリ８７に記憶された画像データを用いて作画する制御等を行う画像処理ユニットであるＩＰＵ（Image Processing Unit）９０と接続されており、複合機１００全体を制御する。表示操作部７０は、操作部Ｉ／Ｆ７７と、液晶表示部７５と、キー入力部７６とを備えている。ＩＰＵ９０には、ＨＤＤ９６と，ＣＤ−Ｒ、ＤＶＤなどの外部記憶装置９８とが接続されている。なお、図示を省略しているが、メインコントローラ８０は、ＣＰＵ、該ＣＰＵが実行するプログラムを記憶するＲＯＭ、各種データを記憶するＲＡＭ、現在時刻を計時するタイマー等を有する。
【００３８】
次に、メインコントローラ８０の詳細について説明する。図３−２は、本実施の形態にかかる複合機１００のメインコントローラ８０における表示制御に関するソフトウェア構成を示す機能ブロック図である。図３−２に示すように、メインコントローラ８０のソフトウェア構成としては、表示制御部３０１と、制御部３０２と、判断部３０３とを主に備えている。
【００３９】
表示制御部３０１は、通常画面または簡単画面を表示するものであり、電源投入時には通常画面を表示しているが、利用者による簡単画面への切り替えボタンが押下されると、簡単画面に切替えて表示するものである。また、表示制御部３０１は、利用者による通常画面または簡単画面からの入力、即ち、印刷指示、印刷設定等を受け付けるものである。さらに、表示制御部３０１は、後述する判断部３０３によって、原稿サイズセンサにより原稿サイズが検知できなった場合に、利用者による原稿サイズの選択設定の入力を受け付けるものである。
【００４０】
ここで、通常画面とは、複合機１００で使用可能な全ての設定項目から利用者によって選択設定を行わせる手動設定項目と、原稿サイズセンサによって検知された原稿サイズに基づいて複数の設定項目から複合機１００が選択設定を行う自動設定項目とを有する画面をいう。また、簡単画面とは、少なくとも自動設定項目を有する画面をいい、表示文字や設定ボタンが通常画面の表示文字や設定ボタンのサイズよりも大きくなっているなど、利用者が簡易に設定を行うことができる画面である。各画面の詳細な設定項目は、後述する。なお、本実施の形態では、自動設定項目を原稿サイズの設定としているが、これに限定されることなく、原稿の解像度や濃度等を自動設定項目としてもよい。
【００４１】
表示制御部３０１に表示された通常画面の手動設定項目から受け付けた利用者による選択設定の入力、および原稿サイズセンサによって検知した原稿サイズとに基づいて画像形成処理を行う通常画面モード、または原稿サイズセンサによって検知した原稿サイズに基づいて画像形成処理を行う簡単画面モードがあり、制御部３０２は、それらのモードの設定内容に従って画像形成処理を行うものである。また、制御部３０２は、自動設定項目である原稿サイズが検知できなかった場合、原稿サイズを手動設定項目として、表示制御部３０１から受け付けた利用者の選択設定による原稿サイズで、画像形成処理を行う。
【００４２】
判断部３０３は、制御部３０２による簡単画面モードに基づく画像形成処理の動作中に、原稿サイズセンサによって原稿サイズが検知できたか否かにより、該画像形成処理の動作が継続可能か否かを判断する。すなわち、判断部３０３は、原稿サイズセンサによって原稿サイズが検知できなかった場合は、画像形成処理の動作が継続不可能と判断し、原稿サイズが検知できた場合は、画像形成処理の動作が継続可能であると判断する。
【００４３】
図４は、ＩＰＵ９０の構成を示すブロック構成図である。図４に示すように、Ａ／Ｄコンバータ８１は、ＣＣＤイメージセンサ２６からの画像データ信号をデジタル信号に変換する。シェーディング補正部８２は、デジタル信号に変換された画像データをシェーディング補正し、ＭＴＦ・γ補正部８３によりＭＴＦ補正、γ補正する。補正された信号は、更に変倍処理部８４で表示操作部７０で指示された変倍条件に合わせて拡大又は縮小する。拡大又は縮小された画像データは、セレクタ８５に渡される。セレクタ８５は、画像データの送り先を、書き込みγ補正ユニット８９、または画像メモリコントローラ８６へ切り換える。書き込みγ補正ユニット８９を経由した画像データは、作画条件に合わせて書き込みγ補正がなされ、書き込みユニットに送られる。画像メモリコントローラ８６とセレクタ８５との間は、双方向に画像データを入出力可能な構成となっている。
【００４４】
また、ＩＰＵ９０は、画像メモリコントローラ８６の制御やスキャナ部１０の制御等を行うＣＰＵ８８と、そのプログラムや画像データを格納するＲＯＭ９１と、ＲＡＭ９２と、ＮＶ−ＲＡＭ９３とを主に備えている。画像メモリコントローラ８６は、ＣＰＵ８８の指示により画像メモリ８７の画像データ書き込み、読み出しを制御する。
【００４５】
ここで、画像メモリコントローラ８６へ送られた画像データは、画像メモリコントローラ８６内にある画像圧縮装置によって圧縮され、画像メモリ８７へ送られる。画像データの圧縮により限られた画像メモリを有効に利用できるが、その他に一度の多くの画像データを記憶することができるために、例えば、ソート機能を用いる際、画像データをページ順に出力したり、また複数枚の画像データを画像メモリ８７の転写紙１枚分のエリアを分割したエリアに書込むことができるため集約コピーが可能になる。なお、ＨＤＤ９６，ＣＤーＲ等の外部記憶装置９８の画像データをＳＣＳＩコントローラ９７を介して読み出して使用することもある。
【００４６】
画像メモリ８７の画像データは、ＣＰＵ８８からアクセス可能な構成となっている。このため、画像メモリ８７の画像データを間引き処理、切り出し処理等のほか、本実施の形態に係る転写紙サイズデータと変倍した画像データに基いて画像データの印刷プレビュー画像を作画加工することができる。この加工は、画像メモリコントローラ８６内のレジスタ（図示せず）に加工用データを書込むことにより行う。作画加工された画像データは、再度画像メモリ８７に記憶する。ＣＰＵ８８は、画像メモリ８７の画像データを読み出し、Ｉ／Ｏポート９４を経て表示操作部７０へ転送し、表示可能になる。なお、画像データをそのまま表示するときは、表示操作部７０の画面表示解像度が低いため間引き処理が行われて転送される。
【００４７】
次に、以上のように構成された本実施の形態にかかる複合機１００における画像形成処理について説明する。図５は、本実施の形態にかかる複合機１００における画像形成処理の手順を示すフローチャートである。
【００４８】
まず、電源が投入されると、表示制御部３０１は、通常画面の表示をする（ステップＳ５０１）。ここで、通常画面の詳細な設定項目について説明する。図６は、本実施の形態にかかる複合機１００における通常画面の一例を示す模式図である。図６に示すように、通常画面には、複合機１００の機能を利用するための設定項目、設定結果、動作結果等を利用者に示すための表示パネル（表示操作部）と、通常画面から簡単画面に切り替えるための簡単画面切り替えボタンと、電源を投入するための電源ボタンが主に表示されている。
【００４９】
この通常画面の表示パネルにはさまざまな設定項目が表示されている。「読み取り条件」は、読み取りを行う原稿をどのような条件で電子化するかの設定項目である。「濃度」は、その原稿を読み取った結果の画像の色の濃さを設定する項目である。また、「ファイル形式」は、原稿を読み取った後、電子化した画像データを送信する場合、その送信された画像データをＰＣなどで閲覧するために必要なファイルのフォーマットを設定する項目である。さらに、「原稿送り」は、ＡＤＦによってどのように搬送するかを設定する項目で原稿の片面のみか、両面を読み取るかを設定できる。
【００５０】
また、「本文」「件名」「送信者」「受信者」は、電子メールに画像データを添付して送信する場合の詳細な設定である。そして、「メール」「ファイル」が表記されたタブには、送信先のリストが表示されており、画像データを添付して送信する場合のあて先となる。
【００５１】
次に、表示制御部３０１は、通常画面から簡単画面への切り替えを受け付けたか否かを判断する（ステップＳ５０２）。そして、通常画面から簡単画面への切り替えを受け付けなかった場合は（ステップＳ５０２：Ｎｏ）、表示制御部３０１は、通常画面モードで選択設定等を受け付けて表示入力処理を行う（ステップＳ５０３）。
【００５２】
ここで、通常画面における通常画面モードでの設定について説明する。図７は、通常画面表示モードでの「読み取り条件」の「原稿種類」の設定項目の一例を示す模式図である。図７に示すように、通常画面の手前に「原稿種類」の設定項目が表示され、載置された原稿の種類が白黒またはカラーによって区別され、更に、文字または写真等を設定するためのボタンが表示されている。
【００５３】
図８は、通常画面表示モードでの「読み取り条件」の「読取サイズ」の設定項目の一例を示す模式図である。図８に示すように、通常画面の手前に「読取サイズ」の設定項目が表示され、載置された原稿の原稿サイズの自動設定、または、手動でＡ４、Ｂ５等に設定するためのボタンが表示されている。
【００５４】
図９は、通常画面モードでの「読み取り条件」の「解像度」の設定項目の一例を示す模式図である。図９に示すように、通常画面の手前に「解像度」の設定項目が表示され、載置された原稿の解像度の数値を設定するためのボタンが表示されている。
【００５５】
図１０は、通常画面モードでの「読み取り条件」の「編集」の設定項目の一例を示す模式図である。図１０に示すように、通常画面の手前に「編集」の設定項目が表示され、載置された原稿の編集方法を設定するためのボタンが表示されている。
【００５６】
上記図７〜図１０に示した読み取り条件における原稿種類、読取サイズ、解像度、編集の各項目には、ある初期設定値が設定されており、利用者が選択設定を行わなければ初期設定値が選択されている。また、利用者が画像形成処理の条件を変更したければ、各項目を選択して、初期設定値とは別の設定に設定をすることが可能となっている。
【００５７】
図１１は、通常画面モードでの「原稿送り」の設定項目の一例を示す模式図である。図１１に示すように、通常画面の手前に「原稿送り」の設定項目が表示され、片面、両面の設定のほかに、スタンプを印字するか否か（ＯＮ／ＯＦＦ）、原稿開きは上下開きか左右開きか、両面時の最終原稿は表面か裏面かなどの設定するためのボタンが表示されている。このように通常画面モードでは、載置された原稿の読み取りを行う場合の詳細な条件や、読み取り後の画像データを送信する場合の詳細な設定を行うことが必要である。
【００５８】
一方、利用者により通常画面の「簡単画面切り替えボタン」を押下されることにより、通常画面から簡単画面への切り替えを受け付けた場合は（ステップＳ５０２：Ｙｅｓ）、表示制御部３０１は、通常画面を簡単画面に切替えて表示し（ステップＳ５０４）、簡単画面モードで選択設定等を受け付けて表示入力処理を行う（ステップＳ５０５）。
【００５９】
ここで、簡単画面の詳細な設定項目について説明する。図１２は、本実施の形態にかかる複合機１００における簡単画面の一例を示す模式図である。図１２に示すように、簡単画面では、表示文字やボタンの大きさが大きくなり見やすくなっており、この簡単画面から設定できるのは、「読み取り条件」と「ファイル形式」と、送信先に限定される。
【００６０】
また、簡単画面における簡単画面モードでの設定について説明する。図１３は、簡単画面表示モードでの「読み取り条件」の「原稿種類」および「解像度」の設定項目の一例を示す模式図である。図１３に示すように、簡単画面の手前に「原稿種類」および「解像度」の設定項目が表示され、白黒またはカラーなどの原稿の種類、または解像度の数値を設定するためのボタンが表示されている。
【００６１】
このように、簡単画面では、設定できる項目が通常画面よりも限定されている。従って、通常画面モードで設定できていた設定項目はある決められた設定値となる。この場合、読取サイズは「自動サイズ」となり、原稿サイズセンサで検知した原稿サイズが読取サイズとして選択されることになる。
【００６２】
また、編集方法を設定する「枠消去」については設定できないようになっている。更に、原稿送りについては、「片面」「両面」のみの選択となり、設定項目としてＯＮ／ＯＦＦがある場合には（例えば、図１１における原稿送りの「スタンプ」のように印字するか否かを選択する項目）常に、ＯＦＦに設定される。また、「両面」の際に設定が必要な「原稿開き」「最終原稿」については、それぞれ「左右開き」「両面」と設定されている。なお、図１２の状態で、再度、「簡単画面切り替えボタン」を押下すると、通常画面（図６）に切替えられて表示される。
【００６３】
ここで、簡単画面モードでの表示入力処理（ステップＳ５０５）の詳細について、図１４を参照して説明する。図１４は、本実施の形態にかかる複合機１００の簡単画面における原稿サイズの決定処理の手順を示すフローチャートである。
【００６４】
ステップＳ５０５において、表示制御部３０１により簡単画面が表示されると、原稿サイズセンサは、載置された原稿の原稿サイズを検知する（ステップＳ１４０１）。次に、判断部３０３は、原稿サイズセンサによる原稿サイズの検知が可能か否か判断をする（ステップＳ１４０２）。そして、判断部３０３によって、原稿サイズセンサによる原稿サイズの検知が可能であると判断した場合は（ステップＳ１４０２：Ｙｅｓ）、制御部３０２は、検知した原稿サイズを読取サイズと決定する（ステップＳ１４０６）。なお、拡大／縮小機能や集約機能がある場合はこれらを考慮して読取サイズを決定するが、ここでは等倍の読み取り機能のみを想定し、原稿サイズと同一サイズを読取サイズとする。
【００６５】
一方、判断部３０３によって、原稿サイズセンサによる原稿サイズの検知が不能であると判断した場合は（ステップＳ１４０２：Ｎｏ）、表示制御部３０１は、原稿サイズ入力画面を表示する（ステップＳ１４０３）。ここで、原稿サイズ入力画面について説明する。図１５は、本実施の形態にかかる複合機１００の原稿サイズ入力画面を示す模式図である。図１５に示すように、「読取サイズがわかりません。サイズを指定してください。」等、原稿サイズが検知不能であるために、読取サイズが決定できない旨、および利用者に原稿サイズの選択設定を促すメッセージが表示され、Ａ４縦、Ａ５縦等の選択設定するためのボタンが表示されている。
【００６６】
そして、表示制御部３０１は、利用者による原稿サイズの入力を受け付けたか否かを判断し（ステップＳ１４０４）、利用者による原稿サイズの入力を受け付けない場合（ステップＳ１４０４：Ｎｏ）は、受け付けるまでそのまま待機する。
【００６７】
一方、表示制御部３０１によって、利用者による原稿サイズの入力を受け付けた場合（ステップＳ１４０４：Ｙｅｓ）、制御部３０２は、入力を受け付けた原稿サイズを読取サイズと決定する（ステップＳ１４０５）。このように、原稿サイズセンサによる原稿サイズの検知が不能であった場合、利用者による原稿サイズの選択設定を受け付けることにより読取サイズを決定する。
【００６８】
図５に戻って、ステップＳ５０３における通常画面モードでの表示入力処理、またはステップＳ５０５における簡単画面モードでの表示入力処理がなされると、スキャナ部１０は、載置された原稿の内容を読み取る（ステップＳ５０６）。次に、スキャナ部１０により原稿を読み取ると、制御部３０２は、原稿データをプリント部４０に送出する（ステップＳ５０７）。そして、プリント部４０は、制御部３０２によって送出された原稿データを受信して、決定された読取サイズで原稿データを印刷する（ステップＳ５０８）。
【００６９】
このように、本実施の形態における複合機１００は、表示制御部３０１によって判断部３０３により原稿サイズが検知できなかったことにより、簡単画面モードでの画像形成処理の動作が継続可能でないと判断された場合、原稿サイズを手動設定項目として利用者による選択設定を受け付け、制御部３０２によって、原稿サイズを手動設定項目として利用者による選択設定で、画像形成処理を行う。従って、複合機１００の操作に対して不慣れな利用者が操作の行い易い簡単画面において、自動で行われる原稿サイズの検知が不能になった場合でも、手動で原稿サイズを設定することにより、中断された画像形成動作や処理を、最初からやり直すことが不要となり、画像形成動作を継続することができる。このため、操作の簡易化を維持しつつ、画像形成処理の時間を短縮できる。
【図面の簡単な説明】
【００７０】
【図１】本実施の形態にかかる複合機１００とその周辺機器を含めたシステム全体の    構成を示すネットワーク構成図である。
【図２】本実施の形態にかかる複合機１００の断面概略構成図である。
【図３−１】図３−１は、本実施の形態にかかる複合機１００の機械的構成を示すブ    ロック図である。
【図３−２】本実施の形態にかかる複合機１００のメモリコントローラ８０における    ソフトウェア構成を示す機能ブロック図である。
【図４】ＩＰＵ９０の構成を示すブロック構成図である。
【図５】本実施の形態における複合機１００における画像形成処理の手順を示すフロ    ーチャートである。
【図６】本実施の形態にかかる複合機１００における通常画面の一例を示す模式図で    ある。
【図７】通常画面表示モードでの「読み取り条件」の「原稿種類」の設定項目の一例    を示す模式図である。
【図８】通常画面表示モードでの「読み取り条件」の「読取サイズ」の設定項目の一    例を示す模式図である。
【図９】通常画面表示モードでの「読み取り条件」の「解像度」の設定項目の一例を    示す模式図である。
【図１０】通常画面表示モードでの「読み取り条件」の「編集」の設定項目の一例を    示す模式図である。
【図１１】通常画面表示モードでの「原稿送り」の設定項目の一例を示す模式図であ    る。
【図１２】本実施の形態にかかる複合機１００における簡単画面の一例を示す模式図    である。
【図１３】簡単画面表示モードでの「読み取り条件」の「原稿種類」および「解像度    」の設定項目の一例を示す模式図である。
【図１４】本実施の形態にかかる複合機１００の簡単画面における原稿サイズの決定    処理の手順を示すフローチャートである。
【図１５】本実施の形態にかかる複合機１００の原稿サイズ入力画面を示す模式図で    ある。
【符号の説明】
【００７１】
１００  複合機
１０  スキャナ部
１１  ＡＤＦ
１２  原稿台
１３  給送ローラ
１４  給送ベルト
１６  コンタクトガラス
１７  原稿セット検知センサ
２１  露光ランプ
２２  第１ミラー
２３  第２ミラー
２４  第３ミラー
２５  レンズ
２６  ＣＣＤイメージセンサ
３１  レーザ出力ユニット
３２  結像レンズ
３３  反射ミラー
４０  プリント部
４１  感光体ドラム
４２  現像ユニット
４３  転写ユニット
４４  定着ユニット
４５  排紙ユニット
５０  給紙部
５１  第１トレイ
５２  第２トレイ
５３  第３トレイ
５４  第１給紙装置
５５  第２給紙装置
５６  第３給紙装置
５７  縦搬送ユニット
６０  排紙部
６１  排紙トレイ
６２  ステープル台
６３  切り替え板
６４  搬送ローラ
６５  搬送ローラ
６６  搬送ローラ
６７  ジョガー
６８  ジョガー
６９  ステープラ
７０  表示操作部
７１  分岐爪
７２  両面給紙ユニット
７５  液晶画面
７６  スタートキー
７７  操作部Ｉ／Ｆ
８０  メインコントローラ
８１  Ａ／Ｄコンバータ
８２  シェーディング補正
８３  ＭＴＦ・γ補正部
８４  変倍処理部
８５  セレクタ
８６  画像メモリコントローラ
８７  画像メモリ
８８  ＣＰＵ
８９  書込みγ補正ユニット
９０  ＩＰＵ
９１  ＲＯＭ
９２  ＲＡＭ
９３  ＮＶ−ＲＡＭ
９４  Ｉ／Ｏポート
９６  ハードディスク装置
９７  ＳＣＳＩコントローラ
９８  外部記憶装置
３０１  表示制御部
３０２  制御部
３０３  判断部
【図１】
0004744990.tif 000002
【図２】
0004744990.tif 000003
【図３−１】
0004744990.tif 000004
【図３−２】
0004744990.tif 000005
【図４】
0004744990.tif 000006
【図５】
0004744990.tif 000007
【図６】
0004744990.tif 000008
【図７】
0004744990.tif 000009
【図８】
0004744990.tif 000010
【図９】
0004744990.tif 000011
【図１０】
0004744990.tif 000012
【図１１】
0004744990.tif 000013
【図１２】
0004744990.tif 000014
【図１３】
0004744990.tif 000015
【図１４】
0004744990.tif 000016
【図１５】
0004744990.tif 000017